(57)【要約】      （修正有）【課題】複数種類の正規キーが使用可能であると共に、複数の回転境界に複数の分割境界を１対１で対応させることにより、不正キーによる施解錠の防止効果が高いシリンダ錠を提供する。【解決手段】シリンダ錠10は、外筒21と、外筒21内に回転可能に配置された内筒22および中間筒23と、タンブラ41〜45とを備える。回転境界31，32は、第１回転境界31第２回転境界32から構成される。各タンブラ41〜45の分割境界は、第１分割境界Ａ１〜Ａ５および第２分割境界Ｂ１〜Ｂ５から構成される。すべてのタンブラ41〜45が、第１分割境界Ａ１〜Ａ５が第１回転境界31に整列する第１状態のとき、および第２分割境界Ｂ１〜Ｂ５が第２回転境界32に整列する第２状態のときに、内筒22が回転して施解錠を行う。【選択図】図１
2006322244.tif 000002
【特許請求の範囲】
【請求項１】
外筒内に回転可能に配置された回転筒と、径方向に分割されたタンブラが複数個配列されて構成されるタンブラ群とを備え、前記各タンブラは前記回転筒および前記外筒に渡って設けられた収容室に径方向に移動可能に収容され、前記各タンブラにおける分割境界が、前記回転筒に挿入されたキーにより、前記外筒に対して前記回転筒を回転可能とする回転境界に整列するとき、前記キーにより操作されて回転する前記回転筒が施解錠を行うシリンダ錠において、
前記回転筒は、前記キーが挿入される内筒と、前記外筒と前記内筒との間に配置される中間筒とから構成され、前記回転境界は、前記外筒と前記中間筒との間の第１回転境界および前記中間筒と前記内筒との間の第２回転境界から構成され、前記各タンブラは、前記キーに当接可能な内タンブラと、前記内タンブラに対して当接すると共に径方向外方に配置される中間タンブラと、前記中間タンブラに対して当接すると共に径方向外方に配置される外タンブラとから構成され、前記分割境界は、前記外タンブラと前記中間タンブラとの間の第１分割境界および前記中間タンブラと前記内タンブラとの間の第２分割境界から構成され、前記内筒に挿入された前記キーにより、前記各タンブラに関して、前記第１分割境界が前記第１回転境界に整列する第１状態のとき、および前記第２分割境界が前記第２回転境界に整列する第２状態のときに、前記キーにより操作されて回転する前記内筒が施解錠を行うことを特徴とするシリンダ錠。
【請求項２】
前記中間筒は１つの部材により構成され、すべての前記タンブラが前記第１状態のとき、およびすべての前記タンブラが前記第２状態のときに、前記キーにより操作されて回転する前記内筒が施解錠を行うことを特徴とする請求項１記載のシリンダ錠。
【請求項３】
前記中間筒は、第１中間筒と第２中間筒とから構成され、前記中間タンブラは、第１中間タンブラと第２中間タンブラとから構成され、前記回転境界は、前記外筒と前記第１中間筒との間の前記第１回転境界と、前記内筒と前記第２中間筒との間の前記第２回転境界と、前記第１中間筒と前記第２中間筒との間の第３回転境界とから構成され、前記分割境界は、前記外タンブラと前記第１中間タンブラとの間の前記第１分割境界と、前記内タンブラと前記第２中間タンブラとの間の前記第２分割境界と、前記第１中間タンブラと前記第２中間タンブラとの間の第３分割境界とから構成され、前記各タンブラに関して、前記第１状態、前記第２状態、および前記内筒に挿入された前記キーにより前記第３分割境界が前記第３回転境界に整列する第３状態のときに、前記キーにより操作されて回転する前記内筒が施解錠を行うことを特徴とする請求項１記載のシリンダ錠。
【請求項４】
前記中間筒は、軸方向で二分割された第１筒部分および第２筒部分から構成され、前記タンブラ群は、前記第１筒部分に設けられた前記収容室に収容される第１タンブラ部分と、前記第２筒部分に設けられた前記収容室に収容される第２タンブラ部分とに分けられ、前記第１タンブラ部分および前記第２タンブラ部分の一方のタンブラ部分に属する前記タンブラが前記第１状態にあると同時に、前記第１タンブラ部分および前記第２タンブラ部分の他方のタンブラ部分に属する前記タンブラが前記第２状態にあるときに、前記キーにより操作されて回転する前記内筒が施解錠を行うことを特徴とする請求項１記載のシリンダ錠。
【請求項５】
前記第１状態および前記第２状態での前記内筒の回転を許容する第１位置と前記第１状態および前記第２状態の一方の状態を許容状態として前記許容状態のみでの前記内筒の回転を許容する第２位置とを占める機能制限部材を備え、前記キーは、マスターキーおよび個別キーから構成されるか、または複数の異なる個別キーから構成され、前記機能制限部材は、前記許容状態での前記分割境界を形成する前記個別キーのみの操作による前記内筒の所定回転位置で前記第１位置から前記第２位置に移動可能であることを特徴とする請求項２記載のシリンダ錠。
【発明の詳細な説明】
【技術分野】
【０００１】
本発明は、タンブラを備えるシリンダ錠に関し、さらに詳細には、外筒と内筒との間に複数の回転境界（シアーライン）を有するシリンダ錠に関する。
【背景技術】
【０００２】
タンブラを備えるシリンダ錠として、例えば特許文献１に開示されたピンタンブラ錠がある。このピンタンブラ錠は、１つのドライバーおよび１つのピンを一組とする５つの組のドライバーおよびピンと、外筒と内筒と間に一組のドライバーおよびピンに対して１つずつ配置される５つの環と、各環に対応して設けられる固定ピンとを備える。外筒に対して環を一体に固定または分離して回動するように固定ピンの位置を細杆で変更することにより、一組のドライバーおよびピンに対して、外筒と環との境界であるシアーラインまたは環と内筒との境界である別のシアーラインが選択的に適用される。
【特許文献１】特開昭５６−１３１７７１号公報
【発明の開示】
【発明が解決しようとする課題】
【０００３】
ところで、前記従来技術では、一組のドライバーおよびピンにより形成される１つの境界（以下、「ピン側境界」という。）が、外筒と環とのシアーライン（以下、「第１筒側境界」という。）および環と内筒とのシアーライン（以下、「第２筒側境界」という。）の２つの筒側境界に適用可能であるため、正規キー以外のキー（以下、「不正キー」という。）よる施解錠の可能性も高くなる。例えば、正規キーによりピン側境界が第１筒側境界に合わせられる一組のドライバーおよびピンに対して、そのピン側境界を第２筒側境界に合わせる不正キーを使用することにより、施解錠を行うことが可能になる。このような事情は、１つの筒側境界に対して２つのピン側境界が対応するマスターキーシステムにおいても同様である。そして、この原因は、筒側境界とピン側境界とが１対１の対応関係を持っていないことにある。
【０００４】
また、前記従来技術では、ピン側境界が適用される筒側境界を変更するためには、ピン側境界を第２筒側境界に合わせるためのキー（すなわちマスターキー）を必ず使用しなければならないうえ、該マスターキー以外の個別キーのみでの施解錠を可能とするピンタンブラ錠とすることはできない。
【０００５】
本発明は、このような事情に鑑みてなされたものであり、請求項１〜５記載の発明は、複数種類の正規キーが使用可能であると共に、複数の回転境界に複数の分割境界を１対１で対応させることにより、不正キーによる施解錠の防止効果が高いシリンダ錠を提供することを目的とする。そして、請求項２記載の発明は、さらに、シリンダ錠の組立性の向上およびコストの削減を図ることを目的とし、請求項５記載の発明は、さらに、機能制限が解除された状態では、複数種類の正規キーとしてマスターキーおよび個別キー、または複数種類の個別キーでの施解錠が可能であり、機能制限が有効な状態では個別キーのみでの施解錠が可能であるシリンダ錠を提供することを目的とする。
【課題を解決するための手段】
【０００６】
請求項１記載の発明は、外筒内に回転可能に配置された回転筒と、径方向に分割されたタンブラが複数個配列されて構成されるタンブラ群とを備え、前記各タンブラは前記回転筒および前記外筒に渡って設けられた収容室に径方向に移動可能に収容され、前記各タンブラにおける分割境界が、前記回転筒に挿入されたキーにより、前記外筒に対して前記回転筒を回転可能とする回転境界に整列するとき、前記キーにより操作されて回転する前記回転筒が施解錠を行うシリンダ錠において、前記回転筒は、前記キーが挿入される内筒と、前記外筒と前記内筒との間に配置される中間筒とから構成され、前記回転境界は、前記外筒と前記中間筒との間の第１回転境界および前記中間筒と前記内筒との間の第２回転境界から構成され、前記各タンブラは、前記キーに当接可能な内タンブラと、前記内タンブラに対して当接すると共に径方向外方に配置される中間タンブラと、前記中間タンブラに対して当接すると共に径方向外方に配置される外タンブラとから構成され、前記分割境界は、前記外タンブラと前記中間タンブラとの間の第１分割境界および前記中間タンブラと前記内タンブラとの間の第２分割境界から構成され、前記内筒に挿入された前記キーにより、前記各タンブラに関して、前記第１分割境界が前記第１回転境界に整列する第１状態のとき、および前記第２分割境界が前記第２回転境界に整列する第２状態のときに、前記キーにより操作されて回転する前記内筒が施解錠を行うシリンダ錠である。
【０００７】
これによれば、タンブラ群の各タンブラが、その第１，第２分割境界が外筒および回転筒により形成される第１，第２回転境界にそれぞれ１対１で対応する第１状態および第２状態のいずれかにあるとき、シリンダ錠による施解錠が可能になるので、１つのシリンダ錠に対して各タンブラを第１状態または第２状態にする複数種類の正規キーが使用可能となり、しかも不正キーによる施解錠ができなくなる。
【０００８】
請求項２記載の発明は、請求項１記載のシリンダ錠において、前記中間筒は１つの部材により構成され、すべての前記タンブラが前記第１状態のとき、およびすべての前記タンブラが前記第２状態のときに、前記キーにより操作されて回転する前記内筒が施解錠を行うものである。
【０００９】
これによれば、タンブラ群を構成するすべてのタンブラが第１状態にあるとき、およびすべてのタンブラが第２状態にあるときのいずれかに場合に、シリンダ錠による施解錠が可能になるので、２種類の正規キーが使用可能となる。また、中間筒が１つの部材により構成されるので、シリンダ錠の部品点数の増加が抑制される。
【００１０】
請求項３記載の発明は、請求項１記載のシリンダ錠において、前記中間筒は、第１中間筒と第２中間筒とから構成され、前記中間タンブラは、第１中間タンブラと第２中間タンブラとから構成され、前記回転境界は、前記外筒と前記第１中間筒との間の前記第１回転境界と、前記内筒と前記第２中間筒との間の前記第２回転境界と、前記第１中間筒と前記第２中間筒との間の第３回転境界とから構成され、前記分割境界は、前記外タンブラと前記第１中間タンブラとの間の前記第１分割境界と、前記内タンブラと前記第２中間タンブラとの間の前記第２分割境界と、前記第１中間タンブラと前記第２中間タンブラとの間の第３分割境界とから構成され、前記各タンブラに関して、前記第１状態、前記第２状態、および前記内筒に挿入された前記キーにより前記第３分割境界が前記第３回転境界に整列する第３状態のときに、前記キーにより操作されて回転する前記内筒が施解錠を行うものである。
【００１１】
これによれば、タンブラ群の各タンブラが、その第１〜第３分割境界が第１〜第３回転境界にそれぞれ１対１で対応する第１状態、第２状態および第３状態のいずれかにあるとき、シリンダ錠による施解錠が可能になるので、各タンブラが第１，第２状態の２つの状態をとる場合に比べて、正規キーの種類を増加させることができる。
【００１２】
請求項４記載の発明は、請求項１記載のシリンダ錠において、前記中間筒は、軸方向で二分割された第１筒部分および第２筒部分から構成され、前記タンブラ群は、前記第１筒部分に設けられた前記収容室に収容される第１タンブラ部分と、前記第２筒部分に設けられた前記収容室に収容される第２タンブラ部分とに分けられ、前記第１タンブラ部分および前記第２タンブラ部分の一方のタンブラ部分に属する前記タンブラが前記第１状態にあると同時に、前記第１タンブラ部分および前記第２タンブラ部分の他方のタンブラ部分に属する前記タンブラが前記第２状態にあるときに、前記キーにより操作されて回転する前記内筒が施解錠を行うものである。
【００１３】
これによれば、各タンブラの第１，第２状態を第１タンブラ部分単位および第２タンブラ部分単位で組み合わせて、第１，第２分割境界を外筒、内筒および第１，第２筒部分により形成される第１，第２回転境界にそれぞれ１対１で対応させることができるので、中間軸が分割されない場合に比べて、正規キーの種類を増加させることができるうえ、中間筒が軸方向で二分割されるので、中間筒が径方向で大型化することがなく、しかも部品点数の増加が抑制される。
【００１４】
請求項５記載の発明は、請求項２記載のシリンダ錠において、前記第１状態および前記第２状態での前記内筒の回転を許容する第１位置と前記第１状態および前記第２状態の一方の状態を許容状態として前記許容状態のみでの前記内筒の回転を許容する第２位置とを占める機能制限部材を備え、前記キーは、マスターキーおよび個別キーから構成されるか、または複数の異なる個別キーから構成され、前記機能制限部材は、前記許容状態での前記分割境界を形成する前記個別キーのみの操作による前記内筒の所定回転位置で前記第１位置から前記第２位置に移動可能であるものである。
【００１５】
これによれば、機能制限部材が第１位置にある機能制限の解除状態では、マスターキーおよび個別キー、または複数の異なる個別キーにより、第１状態および第２状態での施解錠が可能であり、しかも機能制限部材が第２位置にある機能制限が有効な状態では、第１状態および第２状態のいずれか一方の状態である許容状態で、個別キーによる施解錠が可能になる。そして、機能制限部材を第２位置に移動させるためには、分割境界を許容状態にする個別キーにより内筒を回転させればよい。
【発明の効果】
【００１６】
請求項１記載の発明によれば、次の効果が奏される。すなわち、タンブラ群の各タンブラ（すなわち、個々のタンブラ）の第１，第２分割境界が第１，第２回転境界にそれぞれ１対１で対応することで、施解錠が可能になるので、複数種類の正規キーが使用可能であると共に、不正キーによる施解錠の防止効果が高いシリンダ錠が得られる。
【００１７】
請求項２記載の発明によれば次の効果が奏される。すなわち、２種類の正規キーが使用可能であることで、請求項１記載の発明と同様の効果が奏されるうえ、シリンダ錠の部品点数が抑制されるので、シリンダ錠の組立性が向上し、コストが削減される。
【００１８】
請求項３記載の発明によれば、引用された請求項記載の発明の効果に加えて、次の効果が奏される。すなわち、タンブラ群の各タンブラの第１〜第３分割境界が第１〜第３回転境界にそれぞれ１対１で対応するときに、施解錠が可能になるので、一層多くの複数種類の正規キーが使用可能になる。
【００１９】
請求項４記載の発明によれば、引用された請求項記載の発明の効果に加えて、次の効果が奏される。すなわち、中間筒が径方向で大型化することがないので、シリンダ錠の径方向での大型化が防止され、しかも部品点数の増加が抑制されるので、シリンダ錠の良好な組立性が確保されたうえで、正規キーの種類を増加させることができるので、より多くの複数種類の正規キーが使用可能になる。
【００２０】
請求項５記載の発明によれば、引用された請求項記載の発明の効果に加えて、次の効果が奏される。すなわち、機能制限の解除状態ではマスターキーおよび個別キーでの施解錠が可能であり、機能制限が有効な状態では個別キーのみでの施解錠が可能であるシリンダ錠が得られる。しかも、機能制限を有効にするためには、機能制限後に使用される個別キーのみがあればよい。
【発明を実施するための最良の形態】
【００２１】
以下、本発明の実施形態を図１〜図１１を参照して説明する。
図１，図２は、本発明の第１実施形態を説明する図である。図１を参照すると、本発明が適用されたシリンダ錠10，11は、施錠対象としての扉に装備される本締り錠の施解錠を行うために、該本締り錠または該扉に取り付けられる。
【００２２】
シリンダ錠10，11は、前記本締り錠または前記扉に固定される１つの外筒21と、外筒21内に回転可能に配置された回転筒と、軸方向に１列に配列された複数である所定数の個数の、この実施形態では５つのタンブラ41〜45から構成されるタンブラ群（以下、「タンブラ群」という。）とを備える。前記回転筒は、キーＫ１〜Ｋ３が挿入される挿入空間22ｃが形成された１つの内筒22と、径方向で外筒21と内筒22との間に回転可能に配置される１つの部材から構成される中間筒23とから構成される。
【００２３】
外筒21に対して内筒22および中間筒23を共通の回転中心線Ｌを中心に回転可能とする回転境界（以下、「回転境界」という。）は、外筒21と中間筒23との間の第１回転境界31および中間筒23と内筒22との間の第２回転境界32から構成される。
【００２４】
以下、シリンダ錠10を中心に説明する。内筒22において、挿入空間22ｃが開放する端部22ａに対して軸方向で反対側の端部22ｂには、前記本締り錠のデッドボルトを施錠位置および解錠位置に移動させるための作動機構を駆動する駆動部としてのシリンダカム29が、ネジにより固定されて、内筒22と一体回転するように設けられる。
【００２５】
なお、明細書または特許請求の範囲において、軸方向、径方向および周方向は、それぞれ、内筒22の回転中心線Ｌの方向、回転中心線Ｌを中心とする径方向、および回転中心線Ｌを中心とする周方向を意味する。
【００２６】
各タンブラ41〜45は、径方向で分割された内タンブラ41ａ〜45ａ、中間タンブラ41ｃ〜45ｃおよび外タンブラ41ｂ〜45ｂから構成され、弾発手段としてのスプリング46により径方向内方に付勢される。各タンブラ41〜45において、いずれもピンからなる内タンブラ41ａ〜45ａ、中間タンブラ41ｃ〜45ｃおよび外タンブラ41ｂ〜45ｂと圧縮コイルスプリングからなるスプリング46とは、内筒22、中間筒23および外筒21に渡って径方向に直線状に設けられた円孔からなる１つの収容室51〜55に、挿入空間22ｃから径方向外方に向かってこの順番で収容される。この結果、各タンブラ41〜45において最も径方向内方に配置される内タンブラ41ａ〜45ａは、スプリング46に付勢されて内筒22に挿入されたキーＫ１〜Ｋ３に当接可能であり、中間タンブラ41ｃ〜45ｃは、内タンブラ41ａ〜45ａに対して当接すると共に径方向外方に配置され、外タンブラ41ｂ〜45ｂは、中間タンブラ41ｃ〜45ｃに対して当接すると共に径方向外方に配置される。
【００２７】
外筒21と中間筒23との間には、スプリング56により付勢されたボール57と凹部58との係合を利用したクリック機構からなる位置決め機構が設けられ、この位置決め機構により、内筒22にキーＫ１〜Ｋ３が挿入されるときの中間筒23および内筒22の回転位置である基本位置（以下、「基本位置」という。）が設定される。また、挿入空間22ｃは、内筒22の端部22ｂ寄りで封鎖部材である封鎖ピン59により封鎖される。
【００２８】
各内タンブラ41ａ〜45ａは、挿入空間22ｃに開放する各収容室51〜55の開口から挿入空間22ｃに突出し、挿入されたキーＫ１〜Ｋ３のキーコード部に当接する。なお、キーが記載された図において、便宜上、キーに記入された数字はキーコード部の種類を表す。そして、内筒22に挿入されたキーＫ１〜Ｋ３により、内タンブラ41ａ〜45ａ、中間タンブラ41ｃ〜45ｃおよび外タンブラ41ｂ〜45ｂが各キーコード部の径方向位置に対応して径方向に移動し、各タンブラ41〜45における分割境界（以下、「分割境界」という。）が径方向で回転境界に整列するとき、キーＫ１〜Ｋ３により操作されて回転する内筒22が前記本締り錠の施解錠を行う。
【００２９】
分割境界は、外タンブラ41ｂ〜45ｂと中間タンブラ41ｃ〜45ｃとの間の第１分割境界Ａ１〜Ａ５および中間タンブラ41ｃ〜45ｃと内タンブラ41ａ〜45ａとの間の第２分割境界Ｂ１〜Ｂ５とから構成される。
【００３０】
内筒22に挿入されるキーＫ１〜Ｋ３により、各タンブラ41〜45（すなわち個々のタンブラ41〜45）に関して、第１分割境界Ａ１〜Ａ５が第１回転境界31に整列する第１状態（以下、「第１状態」という。）のとき、および第２分割境界Ｂ１〜Ｂ５が第２回転境界32に整列する第２状態（以下、「第２状態」という。）のときに、正規キーであるキーＫ１〜Ｋ３が操作されて回転する内筒22が施解錠を行う。
ここで、キーＫ１，Ｋ３は、それぞれ異なるシリンダ錠10，11のみに使用可能な個別キーであり、互いに異なるキーコード部を有する。また、キーＫ２は、個別キーが異なる複数のシリンダ錠10，11に共通に使用可能なマスターキーである。
【００３１】
より具体的には、図２（Ａ）に示されるように、シリンダ錠10にキーＫ１が挿入されると、タンブラ群のすべてのタンブラ41〜45が第１状態になる一方、タンブラ41〜45のうちの少なくとも１つのタンブラの内タンブラおよび中間タンブラのいずれか（図２（Ａ）においては、内タンブラ41ａ，43ａ）が第２回転境界32に跨って位置することから、キーＫ１により内筒22および中間筒23が一体に回転して、シリンダ錠10による施解錠が可能になる。
【００３２】
図２（Ｂ）に示されるように、キーＫ２が挿入されると、すべてのタンブラ41〜45が第２状態になる一方、すべてのタンブラ41〜45のうちの少なくとも１つのタンブラの外タンブラおよび中間タンブラのいずれか（図２（Ｂ）においては、外タンブラ41ｂ，43ｂ）が第１回転境界31に跨って位置して、中間筒23が外筒21に対して相対回転不能になる。このため、キーＫ２により内筒22のみが回転して、施解錠が可能になる。
【００３３】
また、図２（Ｃ）に示されるように、シリンダ錠10とは異なるシリンダ錠であってキーＫ２がマスターキーになる別のシリンダ錠11に、キーＫ１とは異なるキーコード部を有する第３キーＫ３が挿入されると、すべてのタンブラ41〜45が第１状態なる一方、タンブラ41〜45の少なくとも１つのタンブラの内タンブラおよび中間タンブラのいずれか（図２（Ｃ）においては、内タンブラ43ａ，45ａ）が第２回転境界32に跨って位置することから、キーＫ３により内筒22および中間筒23が一体に回転して、施解錠が可能になる。
【００３４】
図２（Ｄ）に示されるように、このシリンダ錠11にキーＫ２が挿入されて、すべてのタンブラ41〜45が第２状態になるとき、すべてのタンブラ41〜45のうちの少なくとも１つのタンブラの外タンブラおよび中間タンブラのいずれか（図２（Ｄ）においては、外タンブラ43ｂ，45ｂ）が第１回転境界31に跨って位置して、中間筒23が外筒21に対して相対回転不能になり、キーＫ２により内筒22のみが回転して、施解錠が可能になる。
なお、異なるシリンダ錠10，11は、マスターキーに対応することなく、それぞれ２種類の個別キーが使用可能なものであってもよい。
【００３５】
このように、タンブラ群のすべてのタンブラ41〜45が第１状態のとき、およびすべてのタンブラ41〜45が第２状態のときに、換言すれば、すべてのタンブラ41〜45の第１，第２分割境界Ｂ１〜Ｂ５が、第１，第２回転境界31，32に、それぞれ１対１で対応するときにのみ、シリンダ錠10，11による施解錠が行われる。また、各シリンダ錠10，11において、タンブラ41〜45の少なくとも１つが、この実施形態では２つのタンブラ41，43；43，45が、同時に第１状態および第２状態にならないように内タンブラ41ａ〜45ａおよび外タンブラ41ｂ〜45ｂ，中間タンブラ41ｃ〜45ｃの径方向での長さが設定されている。
【００３６】
次に、前述のように構成された実施形態の作用および効果について説明する。
シリンダ錠10，11において、回転境界は第１回転境界31および第２回転境界32から構成され、各タンブラ41〜45の分割境界は第１分割境界Ａ１〜Ａ５および第２分割境界Ｂ１〜Ｂ５から構成され、内筒22に挿入されたキーＫ１〜Ｋ３により、すべてのタンブラ41〜45が第１状態のとき、および第２状態のときに、キーＫ１〜Ｋ３により操作されて回転する内筒22が施解錠を行うことにより、タンブラ群のすべてのタンブラ41〜45が、その第１，第２分割境界Ａ１〜Ａ５，Ｂ１〜Ｂ５が外筒21および回転筒（内筒22と中間筒23）により形成される第１，第２回転境界31，32にそれぞれ１対１で対応する第１状態および第２状態のいずれかにあるとき、シリンダ錠10，11による施解錠が可能になるので、１つのシリンダ錠10またはシリンダ錠11に対してすべてのタンブラ41〜45を第１状態または第２状態にする２種類の正規のキーＫ１，Ｋ２；キーＫ３，Ｋ２が使用可能となり、しかも不正キーによる施解錠ができなくなる。この結果、２種類の正規キーが使用可能であると共に、不正キーによる施解錠の防止効果が高いシリンダ錠10，11が得られる。
また、中間筒23が１つの部材により構成されることにより、シリンダ錠10，11の部品点数の増加が抑制されるので、シリンダ錠10，11の組立性が向上し、コストが削減される。
【００３７】
次に、本発明の第２，３実施形態を説明する。この第２，３実施形態は第１実施形態とは、中間筒が相違し、その他は基本的に同一の構成を有するものである。そのため、同一の部分についての説明は省略または簡略にし、異なる点を中心に説明する。なお、第１実施形態の部材と同一の部材または対応する部材については、必要に応じて同一の符号を使用した。
【００３８】
まず、図３，図４を参照して、第２実施形態を説明する。
図３（Ａ）を参照すると、本発明が適用されたシリンダ錠12の中間筒23は、外筒21に径方向内方で隣接して配置される第１中間筒24と、内筒22に径方向外方で隣接して配置される第２中間筒25とから構成される。そして、回転境界は、外筒21と第１中間筒24との間に形成される第１回転境界31と、内筒22と第２中間筒25との間に形成される第２回転境界32と、第１中間筒24と該第１中間筒24内に回転可能に配置される第２中間筒25との間に形成される第３回転境界33とから構成される。
【００３９】
中間タンブラは、外タンブラ41ｂ〜45ｂに対して当接すると共に径方向内方に隣接して配置される第１中間タンブラ41ｄ〜45ｄと、内タンブラ41ａ〜45ａに対して当接すると共に径方向外方に隣接して配置される第２中間タンブラ41ｅ〜45ｅとから構成される。そして、分割境界は、外タンブラ41ｂ〜45ｂと第１中間タンブラ41ｄ〜45ｄとの間の第１分割境界Ａ１〜Ａ５と、内タンブラ41ａ〜45ａと第２中間タンブラ41ｅ〜45ｅとの間の第２分割境界Ｂ１〜Ｂ５と、第１中間タンブラ41ｄ〜45ｄと該第１中間タンブラ41ｄ〜45ｄに対して当接すると共に径方向内方に隣接して配置される第２中間タンブラ41ｅ〜45ｅとの間の第３分割境界Ｃ１〜Ｃ５とから構成される。
【００４０】
図３（Ｂ）を併せて参照すると、内筒22に挿入されるキーＫ４〜Ｋ６により、各タンブラ41〜45に関して、第１状態、第２状態、および第３分割境界Ｃ１〜Ｃ５が第３回転境界33に整列する第３状態（以下、「第３状態」という。）のときに、正規キーである各キーＫ４〜Ｋ６により操作されて回転する内筒22が施解錠を行う。
ここで、キーＫ４は個別キーであり、キーＫ５はマスターキーであり、キーＫ６は、マスターキーが異なる複数のシリンダ錠に共通に使用可能なグランドマスターキーである。
【００４１】
より具体的には、図４（Ａ）に示されるように、シリンダ錠12にキーＫ４が挿入されると、すべてのタンブラ41〜45が第１状態になる一方、タンブラ群のすべてのタンブラ41〜45の少なくとも１つのタンブラの第１，第２中間タンブラおよび内タンブラのいずれか（図４（Ａ）においては、タンブラ41，43の内タンブラ41ａ，43ａ、タンブラ41，42，43，44の第２中間タンブラ41ｅ，42ｅ，43ｅ，44ｅ、タンブラ45の第１中間タンブラ45ｄ）が第２回転境界32または第３回転境界33に跨って位置するために、キーＫ４の回転により内筒22および第１，第２中間筒24，25が一体に回転して、シリンダ錠12による施解錠が可能になる。
【００４２】
図４（Ｂ）に示されるように、キーＫ５が挿入されると、すべてのタンブラ41〜45が第３状態になる一方、タンブラ41〜45の少なくとも１つのタンブラの外タンブラ、第１，第２中間タンブラおよび内タンブラのいずれか（図４（Ｂ）においては、内タンブラ41ａ，43ａ〜45ａ、第２中間タンブラ42ｅ、第１中間タンブラ44ｄ，45ｄ、外タンブラ42ｂ，43ｂ）が第１回転境界31または第２回転境界32に跨って位置して、第１中間筒24が外筒21に対して相対回転不能になる。このため、キーＫ５により内筒22および第２中間筒25が一体に回転して、施解錠が可能になる。
【００４３】
図４（Ｃ）に示されるように、キーＫ６が挿入されると、すべてのタンブラ41〜45が第２状態になる一方、タンブラ41〜45の少なくとも１つのタンブラの外タンブラおよび第１，第２中間タンブラのいずれか（図４（Ｃ）においては、第２中間タンブラ42ｅ、第１中間タンブラ41ｄ，43ｄ〜45ｄ、外タンブラ41ｂ〜45ｂ）が第１回転境界31または第３回転境界33に跨って位置して、第１，第２中間筒24，25が外筒21に対して相対回転不能になる。このため、キーＫ６により内筒22のみが回転して、施解錠が可能になる。
なお、キーＫ５，Ｋ６は個別キーであってもよい。
【００４４】
このように、タンブラ群のすべてのタンブラ41〜45が、第１状態、第２状態および第３状態のいずれかのときに、換言すれば、すべてのタンブラ41〜45の第１，第２，第３分割境界Ａ１〜Ａ５，Ｂ１〜Ｂ５，Ｃ１〜Ｃ５が、第１，第２，第３回転境界31，32，33に、それぞれ１対１で対応するときにのみ、シリンダ錠12による施解錠が行われる。また、シリンダ錠12において、すべてのタンブラ41〜45少なくとも１つが、同時に第１状態、第２状態および第３状態にならないように内タンブラ41ａ〜45ａ、外タンブラ41ｂ〜45ｂおよび第１，第２中間タンブラ41ｄ〜45ｄ，41ｅ〜45ｅの径方向での長さが設定されている。
【００４５】
この第２実施形態によれば、次の作用および効果が奏される。
すなわち、中間筒23は第１中間筒24と第２中間筒25とから構成され、回転境界は、第１回転境界31と第２回転境界32と第３回転境界33とから構成され、分割境界は、第１分割境界Ａ１〜Ａ５と第２分割境界Ｂ１〜Ｂ５と第３分割境界Ｃ１〜Ｃ５とから構成され、タンブラ群のすべてのタンブラ41〜45が、第１状態のとき、第２状態のとき、および第３状態のときに、キーＫ４〜Ｋ６により操作されて回転する内筒22が施解錠を行うことにより、すべてのタンブラ41〜45の第１，第２，第３分割境界Ａ１〜Ａ５，Ｂ１〜Ｂ５，Ｃ１〜Ｃ５が第１，第２，第３回転境界31，32，33にそれぞれ１対１で対応する第１状態、第２状態および第３状態のいずれかにあるとき、シリンダ錠12による施解錠が可能になる。この結果、第１実施形態のように各タンブラ41〜45が第１，第２状態の２つの状態をとる場合に比べて、正規キーの種類を増加させて３種類とすることができるので、一層多くの複数種類の正規キーが使用可能になり、不正キーによる施解錠ができなくなり、第１実施形態と同様に、不正キーによる施解錠の防止効果が高いシリンダ錠12が得られる。
【００４６】
次に、図５，図６を参照して、本発明の第３実施形態を説明する。
図５を参照すると、本発明が適用されたシリンダ錠13の中間筒23は、分割面26において軸方向で分割された複数である所定数の筒部分、この実施形態では２つの第１筒部分23ａおよび第２筒部分23ｂから構成される。また、タンブラ群は、各筒部分23ａ，23に設けられた収容室51〜53；54，55に収容される前記所定数のタンブラ部分、この実施形態では２つのタンブラ部分である第１タンブラ部分40ａと第２タンブラ部分40ｂとに分けられる。第１タンブラ部分40ａは、第１筒部分23ａに設けられた収容室51〜53に収容され、第２タンブラ部分40ｂは、第２筒部分23ｂに設けられた収容室54，55に収容される。各タンブラ部分40ａ，40ｂには、タンブラ群のすべてのタンブラ41〜45のうちの少なくとも１つのタンブラが属し、第１，第２タンブラ部分40ａ，40ｂの一方のタンブラ部分に属するタンブラが第１状態にあると同時に、第１，第２タンブラ部分40ａ，40ｂの他方のタンブラ部分が第２状態にあるときに、キーＫ７〜Ｋ10により操作されて回転する内筒22が施解錠を行う。
ここで、キーＫ７は個別キーであり、キーＫ８，Ｋ９は互いに異なるマスターキーであり、キーＫ10はグランドマスターキーである。
【００４７】
より具体的には、図６（Ａ）に示されるように、シリンダ錠13にキーＫ７が挿入されると、第１タンブラ部分40ａに属するすべてのタンブラ41〜43および第２タンブラ部分40ｂに属するすべてのタンブラ44，45が第１状態になる一方、第１タンブラ部分40ａのすべてのタンブラ41〜43の少なくとも１つのタンブラの内タンブラおよび中間タンブラのいずれか（図６（Ａ）においては、内タンブラ43ｂ）、および第２タンブラ部分40ｂのすべてのタンブラ44，45の少なくとも１つのタンブラの内タンブラおよび中間タンブラのいずれか（図６（Ａ）においては、内タンブラ45ａ）が、第２回転境界32に跨って位置することから、第７キーＫ７により内筒22および第１，第２筒部分23ａ，23ｂが一体に回転して、シリンダ錠13による施解錠が可能になる。
【００４８】
図６（Ｂ）に示されるように、キーＫ８が挿入されると、第１タンブラ部分40ａのタンブラ41〜43が第２状態になると同時に第２タンブラ部分40ｂのタンブラ44，45が第１状態になる一方、第１タンブラ部分40ａのすべてのタンブラ41〜43の少なくとも１つのタンブラの外タンブラおよび中間タンブラのいずれか（図６（Ｂ）においては、外タンブラ43ｂ）が第１回転境界31に跨って位置すると同時に、第２タンブラ部分40ｂのすべてのタンブラ44，45の少なくとも１つのタンブラの内タンブラおよび中間タンブラのいずれか（図６（Ｂ）においては、内タンブラ45ａ）が第２回転境界32に跨って位置して、第１筒部分23ａが外筒21に対して相対回転不能になる。このため、キーＫ８により内筒22および第２筒部分23ｂが一体に回転して、施解錠が可能になる。
【００４９】
図６（Ｃ）に示されるように、キーＫ９が挿入されると、第１タンブラ部分40ａのすべてのタンブラ41〜43が第１状態になると同時に第２タンブラ部分40ｂのすべてのタンブラ44，45が第２状態になる一方、第１タンブラ部分40ａのタンブラ41〜43の少なくとも１つのタンブラの内タンブラおよび中間タンブラのいずれか（図６（Ｃ）においては、内タンブラ43ａ）が第２回転境界32に跨って位置すると同時に、第２タンブラ部分40ｂのタンブラの少なくとも１つのタンブラの外タンブラおよび中間タンブラのいずれか（図６（Ｃ）においては、外タンブラ45ｂ）が第１回転境界31に跨って位置して、第２筒部分23ｂが外筒21に対して相対回転不能になる。このため、キーＫ９により内筒22および第１筒部分23ａが一体に回転して、施解錠が可能になる。
【００５０】
図６（Ｄ）に示されるように、シリンダ錠13にキーＫ10が挿入されると、第１タンブラ部分40ａのすべてのタンブラ41〜43および第２タンブラ部分40ｂのすべてのタンブラ44，45が第２状態になる一方、第１タンブラ部分40ａのタンブラ41〜43の少なくとも１つのタンブラの外タンブラおよび中間タンブラのいずれか（図６（Ｄ）においては、外タンブラ43ｂ）、および第２タンブラ部分40ｂのタンブラの少なくとも１つのタンブラの外タンブラおよび中間タンブラのいずれか（図６（Ｄ）においては、外タンブラ45ｂ）が、第１回転境界31に跨って位置して、第１，第２筒部分23ａ，23ｂが外筒21に対して相対回転不能になる。このため、キーＫ10により内筒22のみが回転して、施解錠が可能になる。
なお、キーＫ９，Ｋ10は個別キーであってもよい。
【００５１】
この第３実施形態によれば、第１実施形態と同様の作用および効果が奏されるほか、次の作用および効果が奏される。
すなわち、中間筒23は、軸方向で二分割された第１，第２筒部分23ａ，23ｂから構成され、タンブラ群は、第１，第２タンブラ部分40ａ，40ｂに分けられ、第１タンブラ部分40ａ，40ｂおよび第２タンブラ部分40ａ，40ｂの一方のタンブラ部分40ａ，40ｂに属するタンブラ41〜43が第１状態にあると同時に、第１タンブラ部分40ａ，40ｂおよび第２タンブラ部分40ａ，40ｂの他方のタンブラ部分40ａ，40ｂに属するタンブラ41〜45が第２状態にあるときに、キーＫ７，Ｋ８，Ｋ９，Ｋ10により操作されて回転する内筒22が施解錠を行う。これにより、各タンブラ41〜45の第１，第２状態を第１タンブラ部分40ａ，40ｂ単位および第２タンブラ部分40ａ，40ｂ単位で組み合わせて、第１，第２分割境界Ｂ１〜Ｂ５を外筒21、内筒22および第１，第２筒部分23ａ，23ｂにより形成される第１，第２回転境界31，32にそれぞれ１対１で対応させることができるので、中間筒23が分割されない場合に比べて、正規キーの種類を増加させることができるうえ、中間筒23が軸方向で二分割されるので、中間筒23が径方向で大型化することがなく、しかも部品点数の増加が抑制される。この結果、中間筒が径方向で大型化することがないので、シリンダ錠13の径方向での大型化が防止され、しかも部品点数の増加が抑制されるので、シリンダ錠13の良好な組立性が確保されたうえで、正規キーの種類を増加させることができるので、より多くの複数種類の正規キーが使用可能になる。
【００５２】
次に、図７〜図１１を参照して、本発明の第４，５実施形態を説明する。この第４，５実施形態は、第１実施形態とは、機能制限手段Ｆを備える点で相違し、その他は基本的に同一の構成を有するものである。そのため、同一の部分についての説明は省略または簡略にし、異なる点を中心に説明する。なお、第１実施形態の部材と同一の部材または対応する部材については、必要に応じて同一の符号を使用した。
【００５３】
第４，第５実施形態では、シリンダ錠は、いわゆるコンストラクションキーシステムに使用される。このコンストラクションキーシステムでは、例えば建物の建設工事において、工事中の建物に装備された本締り錠を作業員などが使用し、建物の完成後には、建物の所有者や使用者が該本締り錠をそのまま使用できるようにするために、該本締り錠を工事中には専用のキー（コンストラクションキー）で施解錠し、建物が引き渡された後は該コンストラクションキーが使用不能にされる。
【００５４】
まず、図７〜図１０を参照して、第４実施形態を説明する。
図７（Ａ）を参照すると、シリンダ錠14は、第１実施形態と同様に、外筒21、内筒22および中間筒23と、５つのタンブラ41〜45から構成されるタンブラ群とを備える。各タンブラ41〜45は、第１実施形態と同様の内タンブラ、中間タンブラおよび外タンブラから構成され、スプリング46により付勢される。回転境界は、第１，第２回転境界31，32から構成され、また分割境界は、第１，第２分割境界Ａ１〜Ａ５，Ｂ１〜Ｂ５から構成される。
【００５５】
そして、図８（Ａ）に示されるように、シリンダ錠14に挿入されたキーＫ11により、すべてのタンブラ41〜45が第２状態になるとき、キーＫ11により内筒22のみが回転して、シリンダ錠14による施解錠が可能になり、また図８（Ｂ）に示されるように、キーＫ12が挿入されることにより、すべてのタンブラ41〜45が第１状態になるとき、内筒22が中間筒23と一体に回転して、施解錠が可能になる。ここで、キー11は、マスターキーであるコンストラクションキーであり、キー12は個別キーである。
【００５６】
図７，図８を参照すると、シリンダ錠14は、複数種類、ここでは２種類の正規のキーのうちの一部のキーであるキーＫ11を使用不能にする機能制限手段Ｆを備える。
機能制限手段Ｆは、すべてのタンブラ41〜45が第１状態にあるときおよび第２状態にあるときに内筒22の回転を許容する第１位置（以下、「第１位置」という。）と第１状態および第２状態の一方の状態を許容状態として前記許容状態のみでの内筒22の回転を許容する第２位置（以下、「第２位置」という。）とを占める機能制限部材としての連結部材である連結ピン61と、連結ピン61に当接すると共にその径方向外方に配置される押圧部材としての押圧ピン62と、押圧ピン62を介して連結ピン61を第２位置に向けて移動可能に径方向内方に付勢する弾発手段としてのスプリング63とから構成される。この実施形態では、前記許容状態は、キー12での施解錠を可能とする第１状態である。
【００５７】
連結ピン61、押圧ピン62およびスプリング63は、外筒21においてシリンダカム29寄りの端部22ｂに、収容室51〜55と同列に設けられる第１案内室64に収容される。第１案内室64は、径方向に直線状に延びると共に、径方向内方で第１回転境界31に開放する円孔から構成される。連結ピン61は、その全体が第１案内室64に収容される位置にあるとき、第１位置を占める。この第１位置で、連結ピン61は、スプリング63に付勢されて中間筒23の外周面に当接し、内筒22および中間筒23が一体回転するように両者を連結しないことから、内筒22および中間筒23が外筒21に対して独立して相対回転可能になっており、キー11およびキー12による施解錠が可能である。
【００５８】
一方、内筒22および中間筒23には、図７（Ｂ）に示されるように、それらが基本位置にあるときに第１案内室64とは周方向で異なる位置において、径方向に直線状に延びると共に第１回転境界31に開放する円孔から構成される第２案内室65が設けられる。
【００５９】
第１案内室64と第２案内室65とは、キー12のみにより操作されて回転する内筒22が、中間筒23と一体に所定回転位置、例えば、図７（Ｂ）において内筒22が基本位置から反時計方向に所定角度（例えば６０°）だけ回転したときに、整合するように設けられている。そして、図９（Ａ）に示されるように、第２案内室65が前記所定回転位置を占めるとき、連結ピン61は第１位置（第１案内室64）と第２位置（第２案内室65）との間で径方向内方および径方向外方に移動可能である。なお、図９（Ａ）において、分かり易さのために、キー12にはハッチングが施されている。
【００６０】
図９（Ａ），図１０（Ｂ）に示されるように、連結ピン61は、その全体が第２案内室65に収容された状態で、中間筒23および内筒22に跨って位置する第２位置を占める。この第２位置で、連結ピン61は、内筒22と中間筒23とを相対回転不能に連結する。
【００６１】
また、図７（Ｃ），図９（Ｂ）を参照すると、シリンダカム29、内筒22および中間筒23には、内筒22が前記所定回転位置を占めるとき、軸方向に平行に延びて第２案内室65に連通する貫通孔または溝からなる操作開口66がそれぞれ設けられる。そして、操作開口66に挿入されて、さらに第２案内室65にまで挿入されるドライバーやロッドなどの操作具（図示されず）により、第２案内室65に収容されている連結ピン61が、スプリング63（図７（Ｂ）参照）の弾発力に抗して第１案内室64に移動させられる。
【００６２】
次に、図７，図９，図１０を参照して、機能制限手段Ｆによりシリンダ錠14に対して使用可能な複数種類のキーＫ11，Ｋ12の一部のキーであるキー11を使用不能とする機能制限を有効にするための手順について説明する。
図７を参照すると、機能制限手段Ｆによる機能制限が解除された状態にあるシリンダ錠14では、連結ピン61が第１案内室64に収容されているので、中間筒23は、外筒21に対して相対回転可能であり、両キーＫ11，Ｋ12（図８参照）による施解錠が可能である。図９を併せて参照すると、シリンダ錠14に対して、機能制限手段Ｆの機能制限が有効とされた後の使用可能であるキーＫ12が挿入されて、該キーＫ12により図７（Ｂ）において反時計方向に前記所定角度だけ内筒22および中間筒23が回転させられる。そして、図９に示されるように、第２案内室65が第１案内室64と整合する前記所定回転位置に達した時点で、押圧ピン62を介してスプリング63により付勢されている連結ピン61は、スプリング63の弾発力により第１案内室64から押し出されて第２案内室65に自動的に移動し、第２位置を占める。また、第２案内室65が前記所定回転位置を占めるとき、図９（Ｂ）に示されるように、操作開口66が第２案内室65に回転中心線Ｌに平行な状態で連通する。
【００６３】
その後、キーＫ12により内筒22が中間筒23と一体に図９（Ａ）において時計方向に回転させられて、内筒22および中間筒23が図１０に示される基本位置まで戻される。連結ピン61が第２位置にあることにより、機能制限が有効な状態のシリンダ錠14では、内筒22が中間筒23に対して相対回転不能になるため、中間筒23に対して内筒22を相対回転させて施解錠を行うキーＫ11（図８（Ａ）参照）による施解錠ができなくなって、シリンダ錠14の機能が制限される。このとき、押圧ピン62は、スプリング63に付勢されて中間筒23の外周面に当接している。
【００６４】
機能制限手段Ｆによる機能制限を解除する手順は次のとおりである。キーＫ12（図８（Ｂ）参照）により、中間筒23と一体の内筒22が、前述と同様にして第２案内室65が第１案内室64と整合するまで前記所定角度だけ回転させられる。操作開口66と第２案内室65とが連通した状態（図９参照）で、操作開口66を通じて第２案内室65に挿入された前記操作具により、連結ピン61がスプリング63の弾発力に抗して第１案内室64に押し込まれて、第１位置に戻る。この状態で、中間筒23と共に内筒22を基本位置に戻すことにより、中間筒23が内筒22に対して相対回転可能となるので、中間筒23に対して内筒22を回転させるキーＫ11（図８（Ａ）参照）による施解錠が可能になる。
【００６５】
次に、図１１を参照して、第４実施形態とは機能制限手段Ｆの構造が異なる本発明の第５実施形態を説明する。
本発明が適用されたシリンダ錠15では、シリンダ錠15に挿入されたキーＫ13により、タンブラ群のすべてのタンブラが第１状態になるとき、キーＫ13により内筒22および中間筒23が回転して、シリンダ錠15による施解錠が可能になり、またキーＫ14が挿入されることにより、タンブラ群のすべてのタンブラが第２状態になるとき、内筒22のみが回転して、施解錠が可能になる。ここで、キーＫ13はマスターキーであるコンストラクションキーであり、キーＫ14は個別キーである。
【００６６】
機能制限手段Ｆは、第１位置と第２位置とを占める機能制限部材としての連結部材である連結ボール71と、連結ボール71に当接可能であると共にその径方向内方に配置される第１押圧部材としての第１押圧ピン72と、径方向内方で第１押圧ピン72に当接可能な第２押圧部材としての第２押圧ピン73と、第２押圧ピン73に対して径方向内方に第１，第２押圧ピン72，73を介して連結ボール71を第２位置に向けて移動可能に径方向外方に付勢する弾発手段としてのスプリング74とから構成される。この実施形態では、前記許容状態は、キーＫ14での施解錠を可能とする第２状態である。
【００６７】
連結ボール71は、外筒21および中間筒23に渡ってシリンダカム（例えば、図７（Ａ）のシリンダカム29参照）寄りの端部21ｂ，23ｂに、タンブラ群の各タンブラが収容される収容室と同列に設けられる第１案内室75に収容される。径方向に直線状に延びると共に、径方向内方で第２回転境界32に開放する円孔から構成される第１案内室75は、外筒21に形成される第１室部分75ａと、中間筒23に形成される第２室部分75ｂとから構成され、第１室部分75ａは、中間筒23の回転位置に無関係に第２室部分75ｂよりも常時上方に位置する部分に設けられている。
【００６８】
連結ボール71は、図１１（Ａ），（Ｂ），（Ｃ）に示されるように、その全体が第２室部分75ｂのみに収容される位置にあるとき、第１位置を占める。この第１位置で、連結ボール71は、第１室部分75ａに収容されることなく、内筒22の外周面に当接していて、中間筒23が外筒21と一体になって回転不能となるように両者を連結しないことから、中間筒23が、内筒22および外筒21に対して相対回転可能になっており、キーＫ13およびキーＫ14による施解錠が可能である。なお、図１１（Ａ）に示されるように、第１，第２室部分75ａ，75ｂが整合するとき、連結ボール71は重力により第２室部分75ｂのみに収容される。
なお、図１１（Ｂ），（Ｃ），（Ｄ）において、分かり易さのために、キー13，14にはハッチングが施されている。
【００６９】
また、連結ボール71は、図１１（Ｄ），（Ｅ）に示されるように、第１，第２室部分75ａ，75ｂに跨って位置する第２位置を占める。この第２位置で、連結ボール71は、外筒21と中間筒23とを相対回転不能に連結する。
【００７０】
図１１（Ａ）を参照すると、内筒22には、内筒22が基本位置にあるときに第１案内室75とは周方向で異なる位置において、径方向に直線状に延びると共に第２回転境界32に開放する円孔から構成される第２案内室76が設けられる。第２案内室76は、第１，第２押圧ピン72，73およびスプリング74を収容可能である。そして、連結ボール71が第１位置を占めるときは、図１１（Ａ），（Ｂ），（Ｃ）に示されるように、第１，第２押圧ピン72，73およびスプリング74が第２案内室76に収容された状態で、第１押圧ピン72が中間筒23の内周面に当接する。また、連結ボール71が第２位置を占めるときは、図１１（Ｄ），（Ｅ）に示されるように、第２押圧ピン73およびスプリング74が第２案内室76に収容された状態で、第２押圧ピン73が中間筒23の内周面に当接可能となり、第１押圧ピン72は第２室部分75ｂに収容される。
【００７１】
そして、第１案内室75と第２案内室76とは、キーＫ14のみにより操作されて回転する内筒22が、中間筒23と一体に所定回転位置、例えば、図１１（Ａ）において内筒22が基本位置から時計方向に所定角度（例えば９０°）だけ回転したときに、整合するように設けられている。図１１（Ｄ）に示されるように、第２案内室76が第１案内室75に整合する前記所定回転位置を占めるとき、連結ボール71は、第１案内室75において第１位置と第２位置との間で径方向内方および径方向外方に移動可能である。
【００７２】
また、図示されないが、前記シリンダカムおよび中間筒23には、内筒22が前記所定回転位置を占めるとき、第１案内室75に連通する第４実施形態の操作開口と同様の操作開口が設けられており、該操作開口を通じて第２室部分75ｂにまで挿入される操作具により、第２室部分75ｂに収容されている第１押圧ピン72が、スプリング74の弾発力に抗して第２案内室76に移動させられる。そして、この第１押圧ピン72の移動に伴って、連結ボール71が第２室部分75ｂに落下して、第１位置を占める。
【００７３】
次に、機能制限手段Ｆによりシリンダ錠15に対して使用可能な複数種類のキーＫ13，Ｋ14の一部のキーであるキーＫ13を使用不能とする機能制限を有効にするための手順について説明する。
図１１（Ａ）を参照すると、機能制限手段Ｆによる機能制限が解除された状態にあるシリンダ錠15では、連結ボール71が第１案内室75の第２室部分75ｂに収容されているので、図１１（Ｂ）に示されるように、キーＫ13により内筒22は中間筒23と一体に回転して、キーＫ13による施解錠が可能である。このシリンダ錠15に対して、機能制限手段Ｆの機能制限が有効とされた後に使用可能であるキーＫ14が挿入されて、該キーＫ14により図１１（Ａ）において時計方向に内筒22が回転させられる（図１１（Ｃ）参照）。そして、図１１（Ｄ）に示されるように、前記所定角度だけ内筒22が回転させられて、第２案内室76が第１案内室75と整合する前記所定回転位置に達した時点で、第１，第２押圧ピン72，73を介してスプリング74により付勢されている連結ボール71は、スプリング74の弾発力により第２室部分75ｂから押し出されて第１室部分75ａに自動的に移動し、第２位置を占める。
【００７４】
その後、キーＫ14により内筒22が図１１（Ｄ）において反時計方向に回転させられて、図１１（Ｅ）に示される基本位置まで戻される。連結ボール71が第２位置にあることにより、機能制限が有効な状態のシリンダ錠15では、中間筒23が外筒21に対して相対回転不能になるため、中間筒23と一体に内筒22を回転させて施解錠を行うキーＫ13による施解錠ができなくなって、シリンダ錠15の機能が制限される。このとき、第２押圧ピン73は、スプリング74に付勢されて中間筒23の内周面に当接している。
【００７５】
そして、機能制限手段Ｆによる機能制限を解除する手順は次のとおりである。キーＫ14により、内筒22のみが、前述と同様にして第２案内室76が第１案内室75と整合するまで前記所定角度だけ回転させられる。前記操作開口と第２室部分75ｂとが連通した状態で、前記操作具により、第１押圧ピン72がスプリング74の弾発力に抗して第２案内室76に押し込まれて、連結ボール71が第１位置に戻る。この状態で、内筒22を基本位置に戻す（図１１（Ａ）参照）ことにより、中間筒23が外筒21に対して相対回転可能になるので、内筒22および中間筒23を一体に回転させるキーＫ13による施解錠が可能になる。
【００７６】
この第４、５実施形態によれば、第１実施形態と同様の作用および効果が奏されるほか、次の作用および効果が奏される。
すなわち、シリンダ錠14，15に備えられる機能制限手段Ｆは、各タンブラが第１状態および第２状態での内筒22の回転を許容する第１位置と前記許容状態として第１状態または第２状態のみでの内筒22の回転を許容する第２位置とを占める連結ピン61または連結ボール71を備え、内筒22に挿入されるキーは、キーＫ11，Ｋ13およびキーＫ12，Ｋ14から構成され、連結ピン61または連結ボール71は、前記許容状態での分割境界を形成するキーＫ12，Ｋ14のみの操作による内筒22の前記所定回転位置で第１位置から第２位置に移動可能であることにより、連結ピン61または連結ボール71が第１位置にある機能制限の解除状態では、キーＫ11，Ｋ13およびキーＫ12，Ｋ14により、第１状態および第２状態での施解錠が可能であり、しかも連結ピン61または連結ボール71が第２位置にある機能制限が有効な状態では、第１状態および第２状態のいずれか一方の状態である前記許容状態で、キーＫ12，Ｋ14による施解錠が可能になるので、機能制限の解除状態ではマスターキーおよび個別キーでの施解錠が可能であり、機能制限が有効な状態では個別キーのみでの施解錠が可能であるシリンダ錠14，15が得られる。
【００７７】
しかも、連結ピン61または連結ボール71を第２位置に移動させるためには、各タンブラを前記許容状態にするキーＫ12，Ｋ14により内筒22を回転させればよいことから、機能制限を有効にするためには、機能制限後に使用される個別キーのみがあればよく、マスターキーは不要である。
【００７８】
以下、前述した実施形態の一部の構成を変更した実施形態について、変更した構成に関して説明する。
第１実施形態における中間筒23が、径方向で２以上に分割され、かつ軸方向で２以上に分割されてもよい。
タンブラ群を構成する所定数のタンブラは、１列に配列されなくてもよく、また軸方向のみに配列されなくてもよい。各タンブラは、ピン以外の部材、例えば板状のものであってもよい。
第２実施形態では、中間筒23が径方向で２つに分割されて、分割された中間筒同士により１つの回転境界33が形成されたが、中間筒23が径方向で３以上に分割されて、分割された中間筒同士により２以上の回転境界が形成されてもよい。
【００７９】
中間筒23は、第３実施形態では軸方向で２つに分割されたが、軸方向で３以上である所定数に分割されてもよい。
例えば、第１実施形態における中間筒23または第２実施形態における第１，第２中間筒24，25が、１つの筒部分に１つのタンブラが属するように５つに分割されるなど、タンブラ群を構成するすべてのタンブラの数に等しい数で分割されてもよい。このようにすることで、各タンブラの第１，第２状態を各タンブラ部分単位で組み合わせて、第１，第２分割境界を外筒、内筒および各筒部分により形成される第１，第２回転境界にそれぞれ１対１で対応させることができるので、中間筒が分割されない場合に比べて、正規キーの種類を増加させることができるうえ、中間筒が軸方向で複数に分割されるので、中間筒が径方向で大型化することがない。
【００８０】
第４，第５実施形態において、シリンダ錠がコンストラクションキーシステムに使用されない場合には、キーは、マスターキーではなく、個別キーでよい。このようにすることで、機能制限手段Ｆによる機能制限が解除された状態では、複数種類の個別キーでの施解錠が可能であり、機能制限が有効な状態では、一部の個別キーのみでの施解錠が可能であるシリンダ錠が得られる。
【図面の簡単な説明】
【００８１】
【図１】本発明の第１実施形態であるシリンダ錠を示し、（Ａ）は、シリンダ錠の、回転中心線を含む平面での要部断面図であり、（Ｂ）は、別のシリンダ錠の（Ａ）に対応する断面図であり、（Ｃ）は、（Ａ），（Ｂ）のシリンダ錠に使用可能なキーを示す図である。なお、説明の便宜上、（Ａ），（Ｂ）は、（Ｃ）に対して拡大されている。
【図２】（Ａ）は、図１（Ａ）のシリンダ錠に個別キーが挿入されたときの断面図であり、（Ｂ）は、（Ａ）のシリンダ錠にマスターキーが挿入されたときの断面図であり、（Ｃ）は、図１（Ｂ）のシリンダ錠に個別キーが挿入されたときの断面図であり、（Ｄ）は、（Ｂ）のシリンダ錠にマスターキーが挿入されたときの断面図である。
【図３】本発明の第２実施形態であるシリンダ錠を示し、（Ａ）は、図１（Ａ）に対応する断面図であり、（Ｂ）は、（Ａ）のシリンダ錠に使用可能なキーを示す図である。なお、説明の便宜上、（Ａ）は、（Ｂ）に対して拡大されている。
【図４】（Ａ）は、図２（Ａ）のシリンダ錠に個別キーが挿入されたときの断面図であり、（Ｂ）は、（Ａ）のシリンダ錠にマスターキーが挿入されたときの断面図であり、（Ｃ）は、（Ａ）のシリンダ錠にグランドマスターキーが挿入されたときの断面図である。
【図５】本発明の第３実施形態であるシリンダ錠を示し、（Ａ）は、図１（Ａ）に対応する断面図であり、（Ｂ）は、（Ａ）のシリンダ錠に使用可能なキーを示す図である。なお、説明の便宜上、（Ａ）は、（Ｂ）に対して拡大されている。
【図６】（Ａ）は、図４（Ａ）のシリンダ錠に個別キーが挿入されたときの断面図であり、（Ｂ）は、（Ａ）のシリンダ錠にマスターキーが挿入されたときの断面図であり、（Ｃ）は、（Ａ）のシリンダ錠に別のマスターキーが挿入されたときの断面図であり、（Ｄ）は、（Ａ）のシリンダ錠にグランドマスタキーが挿入されたときの断面図である。
【図７】本発明の第４実施形態である機能制限手段を備えるシリンダ錠を示し、（Ａ）は、機能制限手段による機能制限の解除状態での図１（Ａ）に対応する断面図であり、（Ｂ）は、封鎖ピンが除かれたときの（Ａ）のＢ−Ｂ線断面図であり、（Ｃ）は、図１のＣ矢視図である。
【図８】（Ａ）は、図７（Ａ）のシリンダ錠にコンストラクションキーが挿入されたときの断面図であり、（Ｂ）は、（Ａ）のシリンダ錠に個別キーが挿入されたときの断面図である。
【図９】機能制限手段による機能制限を有効にするために、図７（Ａ）のシリンダ錠の内筒が所定回転位置まで回転させられた状態を示し、（Ａ）は、図７（Ｂ）に対応する断面図であり、（Ｂ）は、図７（Ｃ）に対応する図である。
【図１０】シリンダ錠の機能制限手段による機能制限が有効な状態での図７（Ａ）に対応する断面図であり、（Ｂ）は、封鎖ピンが除かれたときの（Ａ）のＢ−Ｂ線断面図である。
【図１１】本発明の第５実施形態である機能制限手段を備えるシリンダ錠を示し、（Ａ）は、機能制限手段による機能制限の解除状態での図７（Ａ）に対応する断面図であり、（Ｂ）は、（Ａ）のシリンダ錠に挿入されたコンストラクションキーにより回転させられた状態を示し、（Ｃ）は、機能制限手段による機能制限を有効にするために、（Ａ）のシリンダ錠に挿入された個別キーにより回転させられた状態を示し、（Ｄ）は、図７（Ａ）のシリンダ錠の内筒が所定回転位置まで回転させられた状態を示し、（Ｅ）は、（Ａ）のシリンダ錠の機能制限手段による機能制限が有効な状態を示す。
【符号の説明】
【００８２】
10〜15…シリンダ錠、21…外筒、22…内筒、23，24，25…中間筒、26…分割面、29…シリンダカム、31〜33…回転境界、40ａ，40ｂ…タンブラ部分、41〜45…タンブラ、41ａ〜45ａ…内タンブラ、41ｂ〜45ｂ…外タンブラ、41ｃ〜45ｃ，41ｄ〜45ｄ，41ｅ〜45ｅ…中間タンブラ、46…スプリング、51〜55…収容室、56…スプリング、57…ボール、58…凹部、59…封鎖ピン、61…連結ピン、62…押圧ピン、63…スプリング、64，65…案内室、66…操作開口、71…連結ボール、72，73…押圧ピン、74…スプリング、75，76…案内室、
Ｋ１〜Ｋ14…キー、Ａ１〜Ａ５…第１分割境界、Ｂ１〜Ｂ５…第２分割境界、Ｃ１〜Ｃ５…第３分割境界、Ｆ…機能制限手段。
【図１】
2006322244.tif 000003
【図２】
2006322244.tif 000004
【図３】
2006322244.tif 000005
【図４】
2006322244.tif 000006
【図５】
2006322244.tif 000007
【図６】
2006322244.tif 000008
【図７】
2006322244.tif 000009
【図８】
2006322244.tif 000010
【図９】
2006322244.tif 000011
【図１０】
2006322244.tif 000012
【図１１】
2006322244.tif 000013